(57)【要約】本発明は、図１から分かるように、個々の毛髪束にカラーを塗布するための器具であって、舌状のグリップが、一方の端部にブラシを有していて、他方の端部に、毛髪束を保持するための保持装置を有している形式のものに関する。本発明は、ブラシ（１０）の剛毛（１２）が、ブラシ（１０）の中間で側方よりも短く寸法設定されており、保持装置が、中間に、より短い剛毛に向かい合って位置する引込み部（８０）を有していることによって特徴付けられている。
2004516911.tif 000002
【特許請求の範囲】
【請求項１】
個々の毛髪束にカラーを塗布するための器具であって、舌状のグリップが、一方の端部にブラシを有していて、他方の端部に、毛髪束を保持するための保持装置を有している形式のものにおいて、ブラシ（１０）の剛毛（１２）が、ブラシ（１０）の中間で側方よりも短く寸法設定されており、保持装置が、中間に、より短い剛毛に向かい合って位置する引込み部（８０）を有していることを特徴とする、個々の毛髪束にカラーを塗布するための器具。
【請求項２】
ブラシ（１０）と保持装置（２０）とが、グリップ（４０）に解離可能に結合されている、請求項１記載の器具。
【請求項３】
ブラシ（１０）が、カラーを供給するためのポンプを備えている、請求項１または２記載の器具。
【請求項４】
保持装置（２０）が、過剰のカラーのための蓄え器を有している、請求項１から３までのいずれか１項記載の器具。
【請求項５】
グリップ（４０）が、プラスチックから成っている、請求項１から４までのいずれか１項記載の器具。
【請求項６】
グリップ（４０）が、複数の部分から形成されている、請求項１から５までのいずれか１項記載の器具。
【発明の詳細な説明】
【０００１】
本発明は、種々異なるカラーまたはハイライトを毛髪に生ぜしめるために、個々の毛髪束にカラーを塗布するための器具に関する。
【０００２】
頭髪全体にではなく、頭髪の個々の毛髪束にだけカラーを塗布するための器具は公知である。アメリカ合衆国特許第２７０５４９９号明細書には、トング状の器具が記載されている。この器具はトングの一方の側に一種のブラシを有していて、向かい合って位置する側に、液体を塗布するための装置を有している。このような器具は比較的取り扱いにくく、さらに、種々異なる太さの毛髪束を処理することができないという欠点を有している。ヨーロッパ特許出願公開第０８８４００８号明細書に基づき、同じく個々の毛髪束にカラーを塗布するための器具が公知である。この公知の器具もほぼトング形状を有している。この場合、一方のトング部分は櫛状のまたはブラシ状の構造体を備えている。この構造体は、他方の部分に設けられた、中間に位置する平らな面を備えた２つの突出部から成る保持装置と協働する。この器具にも、個々の毛髪束が保持しにくく、実際に細い毛髪束しか処理することができないという欠点がある。
【０００３】
したがって、本発明の課題は、冒頭で述べた形式の、個々の毛髪束にカラーを塗布するため器具を改良して、器具が簡単に取り扱われ、種々異なる太さの毛髪束の処理も許容しているようにすることである。
【０００４】
この課題を解決するためには、請求項１に記載した器具が提案される。
【０００５】
個々の毛髪束にカラー（この場合、カラーという概念は、色調、金髪化染毛剤またはヘアカラーを意味している）を塗布するための本発明による器具は舌状のグリップを有している。このグリップは、フレキシブルではあるものの、形状安定性のプラスチック材料から成っていてよいかまたは複数の部分から形成されていてよいので、グリップの端部は簡単に互いに接近することができる。複数の部分から形成されることは、たとえば２つのグリップ部分が互いにリベット締めされるかまたはプレス嵌めによって互いに結合されることによって達成することができる。
【０００６】
舌状のグリップの一方の端部はブラシを備えており、他方の端部は、毛髪束を保持するための保持装置を備えている。ブラシだけでなく保持装置もグリップに解離可能に結合されていてよいので、形成された種々異なるブラシまたは保持装置を使用することができる。
【０００７】
ブラシは複数の列の剛毛を有している。この場合、本発明によれば、剛毛はブラシの中間で側方よりも短く形成されている。より短い剛毛を備えた剛毛列の数は、処理したい毛髪束の太さに応じて異なっていてよいので、この理由に基づき、ブラシヘッドが交換可能に形成されていても有利である。
【０００８】
グリップの、ブラシに向かい合って位置する端部は、カラーの塗布時に毛髪束を不動に保持するための保持装置を有している。この保持装置は中間に、ブラシのより短い剛毛に向かい合って位置する引込み部を有している。これによって、複数のカラーを引込み部に収容することができ、ブラシの中間の剛毛の構成と、一緒に一種の通路を形成する引込み部の深さとに応じて、種々異なる太さの毛髪束を処理することができる。
【０００９】
処理の間の取外しを不要にするために、ブラシが、カラーを供給するためのポンプを備えていると有利である。グリップの他方の端部に設けられた保持装置が、過剰のカラーのための蓄え器を有していると有利であり、これによって、このカラーを、場合によっては、後続の毛髪束の処理時に再び使用することができる。塗布時には、設定された量のカラーがブラシに塗布され、その後、毛髪束が残りの頭髪から取り出され、器具の保持装置内に置かれる。その後、器具が押し合わされて、両端部が接触し、その後、頭皮から毛髪束の端部にまで引っ張られる。カラーはこの動作の間に連続的にむらなく、選択された毛髪束に分配される。
【００１０】
以下に、本発明の実施例を図面につき詳しく説明する。
【００１１】
図１から明らかであるように、器具１は、たとえば弾性的なプラスチック管であってよい舌状のグリップ４０を有している。この舌状のグリップ４０は、互いに向かい合って位置する２つの端部５，３０を有している。この場合、グリップ４０は約１８０゜だけ自体曲げ返されている。グリップ４０の第１の端部５は剥離可能なブラシ１０を有している。このブラシ１０は複数の剛毛列１２を有している。この場合、中間に位置する内側の剛毛列は外側の剛毛列よりも短く寸法設定されている。ブラシ１０には、客の個々の毛髪束を処理するためのカラーもしくは金髪化染毛剤もしくは色調（トーン）が塗布される。ブラシ１０は、たとえばグリップ４０に接着帯材、プレス嵌めまたは類似の形式で取り付けることができる。グリップ４０の第２の端部３０は解離可能な保持装置２０を有している。この保持装置２０は、取付け手段１５による第１の端部５と同じく、ここでは取付け手段３５によってグリップ端部に結合されている。保持装置２０は中間に引込み部８０もしくは凹部を有しているので、選び出された毛髪束を不動に保持することができ、過剰のカラーが蓄えられる。使用時には、保持装置２０がグリップ４０の端部３０の表面に取付け手段３５によって取り付けられる。この取付け手段３５は、所望の場合には、保持装置２０を取り外しかつ別の形を備えた別の保持装置に置き換えることを許容している。
【００１２】
図２から知ることができるように、グリップは複数の部分、特に２つの部分から形成されていてよく、同じ長さの部分片５０，６０から成っていてよい。両部分片５０，６０はその自由端部で取付け装置１００によって互いに結合されている。
【００１３】
本発明による器具は簡単に使用することができ、家庭での客による毛髪束の処理のためだけでなく、本職（プロ）による使用のためにも適している。ブラシと保持装置との構成によって、毛髪束のむらのない連続的な染色が可能となる。この場合、種々異なる太さの毛髪束を処理することができる。
【図面の簡単な説明】
【図１】
本発明による器具の側面図である。
【図２】
別の構成の側面図である。
【符号の説明】
１  器具、  ５  端部、  １０  ブラシ、  １２  剛毛列、  １５  取付け手段、  ２０  保持装置、  ３０  端部、  ３５  取付け手段、  ４０  グリップ、  ５０  部分片、  ６０  部分片、  ８０  引込み部、  １００  取付け装置
【国際公開パンフレット】
2004516911.tif 000003
2004516911.tif 000004
2004516911.tif 000005
2004516911.tif 000006
2004516911.tif 000007
2004516911.tif 000008
2004516911.tif 000009
【国際調査報告】
2004516911.tif 000010
2004516911.tif 000011
2004516911.tif 000012
2004516911.tif 000013